(57)【特許請求の範囲】
【請求項１】
第１および第２の電極が互いに平行に、表示ライン毎に対をなして配置され、当該第１および第２の電極が誘電体層で覆われた第１基板と、
上記第１および第２の電極と離間して交差するように第３の電極が配置された第２基板とを有し、
上記第１基板と第２基板との間の空間に放電用のガスが封入され、
上記第１および第２の電極と第３の電極との交差部に放電セルが規定されるプラズマディスプレイに対し、上記第１および第２の電極間に第１電圧のパルスを印加して放電を発生させるリセット工程と、
上記第２の電極と第３の電極との間に、表示データに従って選択的に第２電極のパルスを印加する書き込み工程と、
上記第１電極と第２電極との間に、交互に極性の反転する第４電圧のパルスを印加する放電維持工程とを、
１フィールド期間内に複数回実行するプラズマディスプレイの駆動方法であって、
上記放電維持工程の後であって、且つ上記書き込み工程の前において、上記第１電圧の印加毎に上記第１電圧のパルスの印加に先立って、上記第１電圧より低く上記第４電圧より高い電圧を有して上記第１電圧のパルスとは逆の極性である第５電圧の壁電荷反転パルスを、上記第１および第２の電極間に印加することにより、第１電圧では反転されない、第５電圧の電位と逆方向の電位の壁電荷を反転させる工程とを含むことを特徴とするプラズマディスプレイの駆動方法。
【請求項２】
第５電圧が、放電開始電圧より低いことを特徴とする請求項１記載のプラズマディスプレイの駆動方法。
【請求項３】
第１および第２の電極が互いに平行に、表示ライン毎に対をなして配置され、当該第１および第２の電極が誘電体層で覆われた第１基板と、
上記第１および第２の電極と離間して交差するように第３の電極が配置された第２基板とを有し、
上記第１基板と第２基板との間の空間に放電用のガスが封入され、
上記第１および第２の電極と第３の電極との交差部に放電セルが規定されるプラズマディスプレイに対し、上記第１および第２の電極間に第１電圧のパルスを印加して放電を発生させるリセット工程と、
上記第２の電極と第３の電極との間に、表示データに従って選択的に第２電極のパルスを印加する書き込み工程と、
上記第１電極と第２電極との間に、交互に極性の反転する第４電圧のパルスを印加する放電維持工程とを１フィールド期間内に複数回実行し、
上記放電維持工程の後であって、且つ上記書き込み工程の前において、上記第１電圧の印加毎に上記第１電圧のパルスの印加に先立って、上記第１電圧より低く上記第４電圧より高い電圧を有して上記第１電圧のパルスとは逆の極性である第５電圧の壁電荷反転パルスを上記第１および第２の電極間に印加し、
上記第５電圧と第１電圧との和が放電開始電圧の２倍以上であることを特徴とするプラズマディスプレイの駆動方法。
【請求項４】
第５電圧のパルスが印加される前の第４電圧のパルスの極性が上記第５電圧のパルスと逆の極性であることを特徴とする請求項１記載のプラズマディスプレイの駆動方法。
【発明の詳細な説明】
【０００１】
【発明の属する技術分野】
この発明は、複数の電極の各交差部にセルが規定されたプラズマディスプレイの駆動方法に関するものである。
【０００２】
【従来の技術】
図１０は例えば特開平７−１６０２１８号公報に示された従来のプラズマディスプレイの構成を示す概要図であり、１０１は表示パネルであり、第１基板としてのガラス基板上に第１の電極としての維持電極Ｘと第２の電極としての走査電極Ｙ１〜Ｙｎが互いに平行に形成され、このガラス基板に対向する第２基板としてのガラス基板上に、上記維持電極Ｘと走査電極Ｙ１〜Ｙｎとに対し直角な方向に配置される第３の電極としてのアドレス電極Ａ１〜Ａｍが形成されている。
【０００３】
このプラズマディスプレイは、ｎ×ｍ画素、すなわちｉ＝１〜ｎ、ｊ＝１〜ｍであり、任意の維持電極Ｙｉとアドレス電極Ａｊとの交差部に放電セルが規定されており、この規定された放電セルの１つ１つについて点灯／消灯のアドレス選択を行わせ得るように維持電極Ｙ１〜Ｙｎ間、アドレス電極Ａ１〜Ａｍ間は、それぞれ独立駆動可能なように各々の電極間が絶縁、独立している。
【０００４】
上記維持電極Ｘは、走査電極Ｙ１〜Ｙｎの各々と対になっており、一端部は共通に接続されている。これらに印加される第１電圧のパルスから第４電圧のパルスとしての各電圧は、電源回路１０２で生成され、Ｙ共通ドライバ１０３、走査ドライバ１０４、Ｘ共通ドライバ１０５、アドレスドライバ１０６を介して電極に供給される。なお、Ｙ共通ドライバ１０３、走査ドライバ１０４、Ｘ共通ドライバ１０５、アドレスドライバ１０６の各ドライバは、制御回路１０７からの制御信号によって制御される。制御回路１０７は、外部から供給される表示データＤＡＴＡ、表示データに同期したドットクロックＣＬＫ、垂直同期信号ＶＳＹＮＣおよび水平同期信号ＨＳＹＮＣに基づいて、上記制御信号を生成する。
【０００５】
図１１はプラズマディスプレイパネルのセルの構成を示す断面図であり、図において、Ｘ，Ｙｉはガラス基板１０８上に形成された紙面垂直方向に延びた維持電極と走査電極、１０９は維持電極Ｘと走査電極Ｙｉの上に形成された壁電荷保持用の誘電体層、１１０は誘電体層１０９の表面に形成した保護層、Ａｊはガラス基板１０８と対向配置されたガラス基板１１１上に形成された紙面左右方向に延びたアドレス電極、１１２はアドレス電極Ａｊ上に形成した蛍光体、１１３は画素境界に形成した隔壁、１１４は保護層１１０と蛍光体１１２との間の放電空間であり、例えばＮｅ＋Ｘｅペニング混合ガスが封入されている。
【０００６】
次に動作について説明する。
図１２は、従来のプラズマディスプレイの駆動方法を示す印加電圧波形の説明図であり、リセット工程、書き込み工程、維持放電工程を時系列に示している。  図において、まず書き込み工程に先立ち、リセット工程で維持電極Ｘと走査電極Ｙｉとの間の第１電圧のパルスとしてのプライミングパルス１２１を印加して、維持電極Ｘおよび走査電極Ｙｉの両電極間に放電を発生させ、放電空間１１４に空間電荷を発生させるとともに、プライミングパルス１２１の立ち下がりで自己消去放電を起こし、セルの電荷状態を消去状態（維持電極Ｘおよび走査電極Ｙｉ上の誘電体層１０９における蓄積電荷が０となる状態）にする。
次いで、書き込み工程に入り、走査電極Ｙ１〜Ｙｎに順次、スキャンパルス１２２（走査パルス）を印加するとともに、表示データに従って、アドレス電極Ａ１〜Ａｍにアドレスパルスを印加することにより、アドレス電極Ａ１〜Ａｍと走査電極Ｙ１〜Ｙｎの間に第２電圧を生じさせ、書き込み放電を発生させる。
その後、放電維持工程に入り、維持電極Ｘと走査電極Ｙｉに交互に第４電圧としての維持パルスを印加して放電を維持させる。
【０００７】
なお、ここで第１電圧とは、維持電極Ｘと走査電極Ｙｉとの間の電位差である。図１２では、走査電極Ｙｉの電位を０とし、維持電極Ｘに電位Ｖｐのパルスを印加しており、従ってＶｐ＝（第１電圧）である。後で示すように例えば維持電極Ｘに電位Ｖｐα、走査電極に負の電位Ｖｐβ（（第１電圧）＝Ｖｐα−Ｖｐβ）のパルスを印加してもよい。
同様に、第２電圧はアドレス電極Ａｊと走査電極Ｙｉとの間の電位差である。（図１２ではＶａ−Ｖｓｐ＝（第２電圧）、ただし、Ｖｓｐは負の電位なので、｜Ｖａ｜＋｜Ｖｓｐ｜＝（第２電圧）と表わすこともできる。）
また、第４電圧は維持電極Ｘと走査電極Ｙｉとの間の電位差（図１２ではＶｓ＝（第４電圧））である。
以上のリセット工程、書き込み工程、放電維持工程を順次繰り返して表示動作を行う。
【０００８】
次に図１３（ａ0 ）〜（ｆ0 ）に基づいて、上記リセット工程における１つのセル内の状態変化を説明する。図１３（ａ0 ）〜（ｆ0 ）は、図１２に示した（ａ）〜（ｆ）の期間にそれぞれ対応する。前の駆動サイクルが終了した時点で、互いに隣接した維持電極Ｘと走査電極Ｙｉに対応した部分にそれぞれ所定量の極性が互いに逆の壁電荷が蓄積される「図１３（ａ0 ）」。この状態において、維持電極Ｘと走査電極Ｙｉの間にプライミングパルス１２１を印加すると、維持電極Ｘと走査電極Ｙｉの間に放電が発生し「図１３（ｂ0 ）」、この放電により生じた電子及び正イオンは、これら逆極性の維持電極Ｘ、走査電極Ｙｉに引き付けられて、誘電体層１０９の表面に蓄積され、維持電極Ｘ側の壁電荷及び走査電極Ｙｉ側の壁電荷となる。これらの壁電荷は放電空間内の電界強度を低減させるので、放電は直ちに収束に向かい終結する「図１３（ｃ0 ）」。
【０００９】
次いで、維持電極Ｘと走査電極Ｙｉに対するプライミングパルス１２１の印加を中止すると、上記壁電荷によって維持電極Ｘと走査電極Ｙｉ間に放電が発生し「図１３（ｄ0 ）」、プラス電荷とマイナス電荷の再結合によって壁電荷が減少する「図１３（ｅ0 ）」。このとき、理想的には壁電荷が０となるが、実際にはその一部が残留壁電荷として残る場合がある「図１３（ｆ0 ）」。
【００１０】
リセット工程時、維持電極Ｘと走査電極Ｙｉの間に印加するプライミングパルス１２１（全面書込パルス）は、
ａ．それまでの表示状態にかかわらず、一度強制的に放電を起こし、電荷状態を比較的均一な状態にリセットする。
ｂ．空間電荷を発生し、その後の放電を起こしやすくする。
ｃ．消去動作（放電セル全てを消去状態、すなわち、蓄積電荷がない状態に戻す）、の役割を有している。
【００１１】
【発明が解決しようとする課題】
従来のプラズマディスプレイは以上のように構成されているので、自己消去放電によっても全ての壁電荷が完全に消去されるとは限らず、残留壁電荷が残ることがある。これまでは上記の残留壁電荷は、書き込みを行わないセルで誤って放電を生起させない程度の量、すなわち消去不良を起こさない程度の量ならば問題ないと考えられていた。
【００１２】
しかし、残留壁電荷は、消去不良を起こすという問題だけではなく、次の駆動サイクルでのプライミング放電を抑制してしまうという問題のあることがわかった。この問題について図１３（ａ1 ）〜（ｃ1 ）を用いて説明する。
残留壁電荷が残ったセルが、書き込みを行わないセル（消灯セル）であると、書込・維持の間に放電を起こす機会が無い「図１３（ａ1 ）」。このため、次の駆動サイクルでのプライミングパルス１２１の印加時、残留壁電荷による壁電圧は、外部から印加したプライミングパルス電圧を打ち消す向きに働き、このとき、
（外部印加電圧）−（残留電荷による壁電圧）＜（セルの放電開始電圧）
という条件になってしまうと、プライミング放電は起きない「図１３（ｂ1 ）」。
【００１３】
このプライミングパルス印加時、放電が起きないと、上記プライミングパルス１２１の印加の役割が達成されず、次の書込・維持放電も起きなくなり、さらに次のプライミングパルス印加時にも放電が起きなくなるという悪循環に陥り、表示不良となる。
【００１４】
残留電荷がどの程度残るかは、セルの放電特性のばらつきの他、放電の強さの確率的なゆらぎによって変わるが、このような問題点が発生するのは、残留電荷が中途半端な値になったときである。すなわち、残留電荷が少なければ、次のプライミングパルス印加時、正常に放電を起こす。逆に残留電荷が多ければ、書き込みまたは維持のときに誤放電を起こしてしまい、一瞬余分な発光を生じるが、次の駆動周期でプライミングパルスを印加することにより放電を起こし、再びリセットされて正常な状態に戻る。
【００１５】
このときの、動作不良を起こす壁電圧の範囲を図１４により説明する。
図の縦軸は、残留壁電荷による壁電圧の値を示しており、正極性（軸の上方向）はＹ電極上に正、Ｘ電極上に負の残留壁電荷が蓄積されている場合を、負極性（軸の下方向）はＹ電極上に負、Ｘ電極上に正の壁電荷が蓄積されている場合を表すように定義している。従って、壁電圧が正極性であることは、プライミングパルス１２１を助けるように壁電圧が重畳されることを表す。
また、Ｖｆは、放電空間の放電開始電圧を表しており、壁電圧と外部印加電圧の和がＶｆを越えれば放電を起こす。
残留壁電荷の値のうち、プライミングパルス１２１を印加しても、維持パルスを印加してもＶｆの絶対値を越えない範囲が、動作不良を引き起こす範囲となる。
【００１６】
このような残留壁電荷が残っていても確実に全面書込放電を起こすためには、残留電荷による壁電圧を打ち消して、なお放電開始電圧を超えるような、高いプライミングパルス電圧を印加する必要がある。
【００１７】
ところが、プライミングパルス電圧を高くすると、次のような新たな課題が生じる。
（１）プラズマディスプレイパネル内部での絶縁破壊を引き起こす。
（２）駆動回路の耐圧を高くする必要があり、高コストとなる。
（３）プライミング放電によるバックグラウンドの輝度（黒色表示時の輝度）が高くなり、コントラスト比が低くなる。
【００１８】
また、ここではプライミングパルスの立ち下がりでの自己消去放電により残留壁電荷が残るモデルを説明したが、その他、不完全な書込・維持放電などにより、同じような電荷状態になって、プライミング放電の起きない状態に陥る可能性もある等の課題があった。
【００１９】
もう一つの課題として、発光効率を高くすることが困難であるという課題があった。
発光効率を高くするためにはいくつかの方法があるが、そのうちの一つとして維持電極と走査電極の間の間隔を広くとる方法がある。
間隔を広くとれば発光効率が高くなることは、例えば「アジア  ディスプレイ  ’９５，イヴァルージョン  オブ  ディスチャージ  セル  ストラクチャ  フォー  カラー  エーシー  プラズマ  ディスプレイ  パネルス，テー・アキヤマ，エム・ウエオカ（ＡＳＩＡ  ＤＩＳＰＬＡＹ  ’９５  Evaluations of Discharge Cell Structure for Color AC Plasma Display Panels T.Akiyama,M.Ueoka）」で報告されている。しかしながら、維持電極と走査電極の間の間隔を広げると、同時に放電開始電圧Ｖｆが上昇し、より高い電圧で駆動しなければならないため駆動が困難になる。
また、放電開始電圧の上昇は、維持電圧の上昇のみならずプライミング電圧の上昇をも引き起こしてしまう。
【００２０】
プライミング電圧の上昇について、図１６〜図１８をもとに説明する。
プライミング電圧として必要な電圧は、図１６（ａ）に示すような折れ線で表すことができる。この折れ線よりも上の領域は、良好なプライミング動作が可能な領域である。
この領域は図１６（ｂ）に示す直線と、図１６（ｃ）に示す直線との合成として考えることができる。
図１６（ｂ）の直線は、Ｖｓ＋Ｖｐ＝２×Ｖｆで表わされる直線である。この直線より上の領域は、維持パルス１２３とプライミングパルス１２１により、残留壁電荷を反転する事が可能である領域であり、図１４における、「動作不良となる範囲」が無くなるための維持電圧Ｖｓとプライミング電圧Ｖｐの条件範囲に相当する。
【００２１】
図１６（ｃ）の直線は、ＶｐがＶｓによらず一定の値（Ｖｐ−ａ＝Ｖｆ、ａは定数）となる直線であり、この直線よりも上の領域は、プライミングパルス１２１の立ち下がりで自己消去放電を起こすことが可能な領域である。すなわち、ここでＶｐ−ａは、プライミングパルス１２１の立ち上がりで蓄積される壁電荷による壁電圧の値を表しており、この電圧が放電開始電圧を超えると自己消去放電が起きることを示している。通常の維持電圧範囲では、残留電荷を反転できるか否かが最低プライミング電圧を決める主要因になる。ここで、電極間の間隔をｇ１からｇ２（ｇ２＞ｇ１）に広げることにより、放電開始電圧がＶｆ１からＶｆ２（Ｖｆ２＞Ｖｆ１、Ｖｆ２−Ｖｆ１＝ΔＶｆ）に変化したとする。すると、図１７に示すように、残留電荷を反転させるために必要なプライミング電圧は、２×ΔＶｆ上昇する。このことは、図１８に示すように、＋Ｖｆ１が＋Ｖｆ２に、−Ｖｆ１が−Ｖｆ２にそれぞれ変化することから、必要プライミング電圧がＶｐ１からＶｐ１＋２・ΔＶｆとなり、２×ΔＶｆ上昇することにより説明することができる。このように、放電開始電圧がΔＶｆ上昇すると、プライミング電圧は、その２倍（２×ΔＶｆ）上昇することになり、駆動がより困難になる。
【００２２】
以上のような理由から、従来、電極間の間隔は、放電開始電圧が最低値となるような値、パッシェン曲線として知られる曲線の最低値付近に設定されていた。  発光効率を高くするもう一つの方法として、１回あたりの放電の強さを弱くして、放電の繰り返し数を増やす方法が知られており、ＤＣ型プラズマディスプレイにおけるパルスメモリー方式では、高い繰り返し数の短パルスを連続して印加することが行われている。
【００２３】
しかし、ＡＣ型プラズマディスプレイでは、１パルスあたりの放電の強さはパネル構造と印加電圧で決まってしまい、印加電圧は維持電圧条件によってある範囲に限られてしまうので、発光の強さを弱くコントロールすることが困難である。また、放電は維持パルスの立ち上がり付近のみで行われるので（図１５）、放電の繰り返し数を増やすためには維持パルスの繰り返し周波数を高くすることになるが、そうすると壁電荷を十分に安定させるだけの維持パルス幅を確保できなくなり、動作が不安定になるという課題があった。
【００２４】
この発明は上記のような課題を解決するためになされたもので、残留壁電荷が残っていても確実に全面書込放電を起こすことのできるプラズマディスプレイの駆動方法を提供することを目的とする。
また、プラズマディスプレイの発光効率を高めることを目的とする。
【００２５】
【課題を解決するための手段】
請求項１記載の発明に係るプラズマディスプレイの駆動方法は、第１および第２の電極が互いに平行に、表示ライン毎に対をなして配置され、当該第１および第２の電極が誘電体層で覆われた第１基板と、上記第１および第２の電極と離間して交差するように第３の電極が配置された第２基板とを有し、上記第１基板と第２基板との間の空間に放電用のガスが封入され、上記第１および第２の電極と第３の電極との交差部に放電セルが規定されるプラズマディスプレイに対し、上記第１および第２の電極間に第１電圧のパルスを印加して放電を発生させるリセット工程と、上記第２の電極と第３の電極との間に、表示データに従って選択的に第２電圧のパルスを印加する書き込み工程と、上記第１電極と第２電極との間に、交互に極性の反転する第４電圧のパルスを印加する放電維持工程とを、１フィールド期間内に複数回実行するプラズマディスプレイの駆動方法であって、上記放電維持工程の後であって、且つ上記書き込み工程の前において、上記第１電圧の印加毎に上記第１電圧のパルスの印加に先立って、上記第１電圧より低く上記第４電圧より高い電圧を有して上記第１電圧のパルスとは逆の極性である第５電圧の壁電荷反転パルスを、上記第１および第２の電極間に印加するものである。
【００２６】
請求項２記載の発明に係るプラズマディスプレイの駆動方法の第５電圧のパルスは、第１の電極に対応した部分および第２の電極に対応した部分に第１壁電荷および第２壁電荷がない状態での放電開始電圧より低くするものである。
【００２７】
請求項３記載の発明に係るプラズマディスプレイの駆動方法の第５電圧と第１電圧との和が放電開始電圧の２倍以上としたものである。
【００２８】
請求項４記載の発明に係るプラズマディスプレイの駆動方法は、第５電圧のパルスが印加される前の第４電圧のパルスの極性が該第５電圧のパルスと逆の極性としたものである。
【００３４】
【発明の実施の形態】
以下、この発明の実施の一形態を説明する。
実施の形態１．
図１はこの発明の実施の形態１におけるプラズマディスプレイの駆動方法を説明する印加電圧波形図である。図には、１駆動周期の期間を表しており、プラズマディスプレイに階調表示を行う場合に通常用いられるサブフィールド階調法においては、１サブフィールドの期間に相当する。この実施の形態１において従来と異なる点は、プライミングパルス１２１の前に、第５電圧のパルスとして残留電荷反転用のパルス１２４（以下、プレプライミングパルスと称する）を印加した点にある。このプレプライミングパルス１２４の印加は、プライミングパルス１２１の印加毎の他、プライミングパルス複数回につき１回の割合で印加してもよい。
【００３５】
図２は、この発明の実施の形態１の原理を説明する壁電荷の生成を説明する図であり、図２（ａ0 ）から図２（ｆ0 ）までの動作は前記図１３（ａ0 ）から図１３（ｆ0 ）に示す従来の駆動方法と同様である。上記プレプライミングパルス１２４は、プライミング放電を妨げる向きに蓄積された残留壁電荷を再び放電させ、プライミング放電を助ける向きに極性を反転させる働きを持つ。このプレプライミングパルス１２４を印加することにより、図２（ｆ0 ）に示す極性の残留壁電荷を図２（ｇ0 ）に示すように反転させ、図２（ｈ0 ）に示すようにする。
【００３６】
このプレプライミングパルス１２４の条件（電圧・極性など、他のパルスと異なる点）は、
（１）プライミングパルス１２１を打ち消す向きに蓄積された壁電荷を反転させるため、第１電圧のパルスとしてのプライミングパルス１２１と逆極性（維持電極Ｘ，走査電極Ｙｉの電位関係において）であること。
（２）第４電圧のパルスとしての維持パルス１２３よりも高い電圧である。この維持電圧と同程度の電圧で反転する電荷ならば、維持電圧を印加した時点ですでに反転しているはずなので、意味がない。
（３）プライミング電圧よりも低い電圧であること。このプライミング放電を阻止するほどの大きさの壁電荷についてのみ反転するのが目的であり、必要以上に高い電圧を印加すると、全てのセルで放電を起こしてしまい、コントラストが悪化する（単にプライミングパルス１２１を２回入れたことと同じになってしまう）。
【００３７】
上記（２），（３）について、さらに望ましい値を定義するならば、図３に示すように、
（プレプライミング電圧）＋（プライミング電圧）≧２×（放電開始電圧）
の条件を全てのセルで満たす、できるだけ小さい値ということになる。この条件を満足すれば、残留壁電荷がどのような値でも、プライミングパルス１２１か維持パルス１２３かいずれかの電圧で放電を起こすことができる。
なお、ここで放電開始電圧とは、壁電圧が蓄積されていない場合の放電開始電圧である。
【００３８】
以上のように、プライミングパルス１２１を抑制するような値の残留電荷が残っている場合でも、プレプライミングパルス１２４を印加することにより、これを反転させることができ、比較的低いプライミングパルス１２１でも、確実に放電を起こすことができる。また、維持電極と走査電極の間の間隔を広げ、放電空間の放電開始電圧がΔＶｆ上昇した場合でも、残留電荷の問題が無くなることにより、必要なプライミング電圧の上昇はΔＶｆに留まり、駆動が可能になることから、広ギャップ放電による発光効率の向上を実現することができる。
【００３９】
なお、非選択セルの中で、プレプライミングパルス１２４で放電を起こすのは、残留電荷がある一定量残っているセルのみであり、全セルにおいて、このような条件にあるセルが存在する確率は低くプレプライミングパルス１２４によるコントラストの悪化は、かなり低いものである。
また、ここでプレプライミング電圧（第５電圧）は走査電極Ｙｉと維持電極Ｘとの間の電位差である。図１では、維持電極Ｘの電位を０に保ち、プレプライミングパルス１２４の電位Ｖｐｐのプレプライミングパルス１２４を走査電極Ｙｉに印加しており、従って（第５電圧）＝Ｖｐｐであるが、図４に示すように、Ｘ，Ｙｉ，Ａｊ間の互いの電位関係を保ちながら維持電極Ｘと、走査電極Ｙｉに互いに逆極性に印加するようにしてもよい。
【００４０】
また、プレプライミングパルス１２４は、すべてのプライミングパルス１２１の前に印加する必要はなく、プライミングパルス複数回に１回の頻度で間欠的に印加してもよい。このようにすることにより、プライミング放電を抑制する状態からの復帰は遅くなるが、プレプライミング電圧として、必要最低電圧より余裕をもった高い電圧を印加した場合においてもプレプライミングパルス１２４における発光の頻度が下がり、コントラストを悪化させる割合がより低くなる。
例えばサブフィールド階調法により、１フィールドを８サブフィールドに分割し、プライミングパルス１２１をこのうちの任意の２つのサブフィールドの最初に印加したとする。ここで、プレプライミングパルス１２４をプライミングパルス２回に１回の頻度で印加すれば、１フィールドに１回の割合でプレプライミングパルス１２４が挿入されることとなり、１フィールド以内には、プライミング放電を抑制する状態（異常状態）から正常な状態に復帰することになる。異常状態の継続時間が１フィールド程度ならば、目視上許容できる範囲となる。
【００４１】
なお、上記プライミングパルス１２１の挿入条件において、プレプライミングパルス１２４をプライミングパルス２回につき１回の頻度で印加したが、もちろんこれに限られることはなく、異常状態の継続時間が最大３フィールド程度まで（この場合、プレプライミングパルス１２４をプライミングパルス６回につき１回の頻度で印加することに相当）ならば、問題なく適用可能である。
【００４２】
実施の形態２．
図５はこの発明の実施の形態２におけるプラズマディスプレイの駆動方法を説明する印加電圧波形を示す説明図であり、１駆動周期毎にプライミングパルス１２１を維持電極Ｘまたは走査電極Ｙｉに交互に印加するものである。
【００４３】
このようにすることにより、残留壁電荷がプライミングパルス１２１にマイナスに働き、プライミング放電が起こらなかったとしても、次の駆動周期では、残留壁電荷がプライミングパルス１２１にプラスに働くので、確実にプライミング放電を発生させて、正常サイクルに復帰させることができる。なお、プライミングパルス１２１を維持電極Ｘと走査電極Ｙｉに交互印加する周期は、１駆動周期毎である必要はなく、複数駆動周期毎、あるいは、維持電極にｎ回印加する毎に走査電極に１回する等の割合でもよい。
【００４４】
実施の形態３．
図７は維持パルスの立ち下がりにおいて、自己消去放電を起こさせることにより発光効率を向上させた実施の形態３に関する放電維持工程の説明図である。図７（ａ）の書き込み工程終了後に維持電極Ｘに維持電圧Ｖｓを印加すると、図７（ｂ）のように放電を発生し、維持電極Ｘ、走査電極Ｙｉに対応する位置に書き込み終了時とは反対極性の壁電荷を発生する「図７（ｃ）」。このときＶｓを充分高くすることにより、壁電圧のみで放電開始電圧を越える値となるような多量の壁電荷を蓄積することができる。この状態で維持電圧Ｖｓの印加を中止すると、その壁電荷によって自己消去放電を発生する。つまり、維持電圧の立ち下がりによっても放電が生じる「図７（ｄ）」。この放電により、壁電荷量は減少するが、自己消去放電によって発生した空間電荷の減衰時定数が、少なくとも数μｓであるので、次のパルスの立ち上がりまでの時間を１μｓ以下程度と短くすることにより、自己消去放電によって発生した空間電荷「図７（ｅ）」の助けを借りて維持動作を継続することができる「図７（ｆ）以下」。
【００４５】
このような自己消去放電を利用した維持動作を行わせることにより、図９に示すように、維持電圧Ｖｓの立ち上がりと共に立ち下がりにおいても放電を発生し発光するため、弱い放電が従来の２倍の繰り返し数で行われることにより、発光効率が向上する。
【００４６】
また、このような動作領域にて動作をさせるためには、（ガスの圧力）×（維持電極と走査電極の間の間隔）の値を、通常使われるパッシェン曲線の最小値となるような値より高い値にする必要がある。例えばガス圧を一定にして間隔を広げると、図６に示すように、維持動作可能な電圧は、高い方にシフトし、自己消去維持動作領域が、維持動作可能範囲の中に入る。
【００４７】
このような間隔の広い領域で、プライミング放電を含めて安定に動作させるためには、実施の形態１で述べたプレプライミングパルス１２４を挿入することが効果的である。リセット工程におけるプライミング放電はプレプライミングパルス１２４を挿入することにより確実に行うことができ、必要なプライミング電圧の最低値は、間隔がｇ１からｇ２に広がり、放電開始電圧が、Ｖｆ１からＶｆ２（Ｖｆ２−Ｖｆ１＝ΔＶｆ）に高くなっても、図８に示すように、維持電圧ＶｓにかかわらずΔＶｆの電圧上昇に留まる。
【００４８】
請求項１記載の発明によれば、放電維持工程の後であって、且つ上記書き込み工程の前において、上記第１電圧の印加毎に上記第１電圧のパルスの印加に先立って、上記第１電圧より低く上記第４電圧より高い電圧を有して上記第１電圧のパルスとは逆の極性である第５電圧の壁電荷反転パルスを、上記第１および第２の電極間に印加するように構成したので、壁電荷が残留している状態であっても確実にプライミング放電を起こし、安定した動作を起こすことができる。また、プライミング電圧を比較的低い値に設定することができるので、コントラスト比が向上する、絶縁破壊が起こりにくくなる、駆動回路が低コストとなる等の効果が得られる。
【００４９】
請求項２記載の発明によれば、第５電圧のパルスを、第１の電極と第２の電極との間の放電開始電圧より低く構成したので、全セルが放電することなく、問題のあるセルのみ放電させることが可能であるため、コントラストを悪化させることがない効果がある。
【００５０】
請求項３記載の発明によれば、第５電圧のパルスと第１電圧のパルスとの和を、放電開始電圧の２倍よりも大きく構成したので、残留壁電荷がどのような値でも、第５電圧のパルス又は第１電圧のパルスの少なくともいずれかのパルスで確実に放電を起こすことが可能であるため、安定した動作を行わせることができる効果がある。
【００５１】
請求項４記載の発明によれば、第５電圧のパルスの直前の第４電圧のパルスの極性を該第５電圧のパルスと逆になるように構成したので、リセット工程において、全面書き込み放電を確実に行うことができる効果がある。
【図面の簡単な説明】
【図１】  この発明の実施の形態１におけるプラズマディスプレイの駆動方法を説明する印加電圧波形図である。
【図２】  この発明の実施の形態１の原理を説明する残留壁電荷の生成を説明する図である。
【図３】  プレプライミング電圧＋プライミング電圧と放電開始電圧の関係を説明する図である。
【図４】  この発明の実施の形態１におけるプラズマディスプレイの駆動方法を説明する印加電圧波形図である。
【図５】  この発明の実施の形態２におけるプラズマディスプレイの駆動方法を説明する印加電圧波形図である。
【図６】  電極間間隔対維持電圧の関係を示す特性図である。
【図７】  この発明の実施の形態３の原理を説明する残留壁電荷の移動イメージ図である。
【図８】  維持電圧対プライミング電圧の関係を示す特性図である。
【図９】  この発明の実施の形態３による発光状態を示すタイミング図である。
【図１０】  従来のプラズマディスプレイの構成を示す概要図である。
【図１１】  プラズマディスプレイパネルのセルの構成を示す断面図である。
【図１２】  従来のプラズマディスプレイの駆動方法を説明する印加電圧波形図である。
【図１３】  従来のプラズマディスプレイにおける残留壁電荷の生成を説明する図である。
【図１４】  動作不良を起こす壁電圧の範囲説明図である。
【図１５】  従来のプラズマディスプレイにおける発光状態を示すタイミング図である。
【図１６】  従来のプラズマディスプレイにおける維持電圧対プライミング電圧の関係を示す特性図である。
【図１７】  従来のプラズマディスプレイにおいて、維持電極と走査電極の間の間隔を広げたときの、維持電極対プライミング電圧の関係を示す特性図である。
【図１８】  残留壁電荷対プライミング電圧の関係を説明する図である。
【符号の説明】
Ｘ  維持電極（第１の電極）、Ｙ１〜Ｙｎ  第２の電極、Ａ１〜Ａｍ  第３の電極、１０８  ガラス基板（第１基板）、１０９  誘電体層、１１０  保護層、１１１  ガラス基板（第２基板）、１１２  蛍光体、１１３  隔壁、１１４  放電空間、１２１  プライミングパルス（第１電圧のパルス）、  １２２  スキャンパルス、１２３  維持パルス（第４電圧のパルス）、１２４  プレプライミングパルス（第５電圧のパルス）。
【図１】
0003710592.tif 000002
【図２】
0003710592.tif 000003
【図３】
0003710592.tif 000004
【図４】
0003710592.tif 000005
【図５】
0003710592.tif 000006
【図６】
0003710592.tif 000007
【図７】
0003710592.tif 000008
【図８】
0003710592.tif 000009
【図９】
0003710592.tif 000010
【図１０】
0003710592.tif 000011
【図１１】
0003710592.tif 000012
【図１２】
0003710592.tif 000013
【図１３】
0003710592.tif 000014
【図１４】
0003710592.tif 000015
【図１５】
0003710592.tif 000016
【図１６】
0003710592.tif 000017
【図１７】
0003710592.tif 000018
【図１８】
0003710592.tif 000019